(57)【要約】【課題】ドアを一定の開度位置で確実に固定できるようにする。【解決手段】ドア２に水平方向に回動自在に支持されるとともに、部材長手方向に沿ってガイド溝６が形成されたアーム部材５と、ドア枠３に支持され、前記ガイド溝６に対する係合状態でドア２の開閉に伴い該ガイド溝６に沿って相対移動する係合軸部材８と、ドア２に水平方向に回動自在に支持され、前記係合軸部材８を前記ガイド溝６の先端側に移動させた状態で前記係合軸部材８に先端を当接させることにより、ドア２を一定の開度位置に固定保持するストッパー部材９とを備え、前記ストッパー部材９は、前記アーム部材５と同軸的に軸支され、ドアガード１の不使用状態時において、前記アーム部材５のガイド溝６を収容空間として格納されるようにする。【選択図】図８
2013234488.tif 000002
【特許請求の範囲】
【請求項１】
ドア及びドア枠の一方側に水平方向に回動自在に支持されるとともに、部材長手方向に沿ってガイド溝が形成されたアーム部材と、ドア及びドア枠の他方側に支持され、前記ガイド溝に係合させた状態でドアの開閉に伴い該ガイド溝に沿って相対移動する係合軸部材と、ドア及びドア枠の一方側に水平方向に回動自在に支持され、前記係合軸部材を前記ガイド溝の先端側に移動させた状態で該係合軸部材に先端を当接させることにより、ドアを一定の開度位置に固定保持するストッパー部材とを備えたドアガードであって、
前記ストッパー部材は、前記アーム部材と同軸的に軸支され、ドアガードの不使用状態時において、前記アーム部材のガイド溝を収容空間として格納されるようになっていることを特徴とするドアガード。
【請求項２】
前記ストッパー部材は、断面略コ字状で上下面が軸支された基部と、この基部の中間に連設されたストッパー軸とを備え、ドアガードの使用状態時において、前記ストッパー軸の基端を前記アーム部材よりも収容位置側に位置させ、前記ストッパー軸の先端を前記アーム部材のガイド溝内に挿入した状態で前記係合軸部材に当接させることにより、平面視で前記ストッパー部材の軸芯が前記アーム部材の軸芯に対して交差する関係にある請求項１記載のドアガード。
【請求項３】
前記係合軸部材は、ドア及びドア枠の他方側に水平方向に回動自在に支持され、先端部をドア及びドア枠の他方側から突出させた状態と、ドア及びドア枠の他方側に収納した状態とが切り換え可能に設けられている請求項１、２いずれかに記載のドアガード。
【請求項４】
前記ストッパー部材の少なくとも先端側部分が軸芯方向にスライド可能に設けられるとともに、内設された弾発部材によって先端側に向けて付勢支持され、前記係合軸部材に対して押圧状態で当接するようになっている請求項１〜３いずれかに記載のドアガード。
【請求項５】
前記アーム部材は合成樹脂により構成されている請求項１〜４いずれかに記載のドアガード。
【発明の詳細な説明】
【技術分野】
【０００１】
本発明は、防犯等のためにドアを一定の開度以下に制限するドアガードに関し、詳細には換気や風通し等のためにドアを一定の開度位置に保持可能としたドアガードに関する。
【背景技術】
【０００２】
従来より、ドア側に水平方向に回動自在に支持されるとともに、部材長手方向に沿ってガイド溝が形成されたアーム部材と、ドア枠側に支持され、前記ガイド溝に対する係合状態でドアの開閉に伴い該ガイド溝に沿って相対移動する係合軸部材とからなるドアガードが知られている。
【０００３】
かかるドアガードは、ドアを全開しないで安全に外部を確認したい場合や、室内換気の際に人の進入を防止しつつ通気用の開口を確保したい場合などに使用される。
【０００４】
ドアガードを室内換気用として使用する場合に、ドアを換気用の開度位置に保持する技術が種々開発されている。例えば、下記特許文献１では、ガイド溝１５の奥端寄りの内周面に、牽制ピン５のドア閉じ方向への相対スライドを阻止するロックばね２８が成形されており、牽制アーム４を使用位置と不使用位置とにおいて位置保持するクリック機構が、アームホルダー３に設けた係合部１０と、この係合部１０に対応して外装体４Ｂの揺動基端側の周面に一体成形した被係合部３１・３２とで構成された牽制アーム型のドアガードが開示されている。
【０００５】
また、下記特許文献２においては、扉又は出入口枠のいずれか一方に回動可能に取着したアーム部材と、他方に取着され前記アーム部材のストッパ部に当接して前記扉を第１の開位置に開放する係止軸とを備え、前記扉の開度動作とともに前記係止軸が前記アーム部材に形成されたガイド部に沿って前記アーム部材と相対移動して前記ストッパ部に当接し、前記第１の開位置以上に前記扉の開動作を規制するドアガードにおいて、前記係止軸と係合し、前記扉の全閉位置と前記第１の開位置との間に設けた第２の開位置に前記扉を開放保持する第１係合部を有する開閉規制部材（ストッパー部材）を設けたドアガードが開示されている。
【先行技術文献】
【特許文献】
【０００６】
【特許文献１】特開平１１−３５０８１９号公報
【特許文献２】特開２００６−１６１３６０号公報
【発明の概要】
【発明が解決しようとする課題】
【０００７】
しかしながら、上記特許文献１記載のドアガードでは、牽制ピン５をロックばね２８に係合させることによって牽制アーム４がドア閉じ方向へ戻ろうとするのを阻止しているが、高層ビルの高層階などでは強風に煽られてドアの閉方向に思わぬ強い力が作用する場合があるため、この強い力によって牽制ピンがロックばねから外れて不意にドアが閉じたり、逆にドアを閉めたつもりが牽制ピンがロックばねに係合して開状態のままとなっていたりすることがあった。
【０００８】
また、上記特許文献２記載のドアガードでは、アーム部材の外側に設けられた開閉規制部材がアーム部材とほぼ等幅に形成されているため、アーム部材を施錠位置に移動させたつもりが同時に開閉規制部材も掴んで移動させてしまう誤操作を生じやすかった。
【０００９】
さらに、ドアガードの使用状態で、前記開閉規制部材がアーム部材の外側に並列的に設けられているため、開閉規制部材が係止軸の球状に形成された頭部の外側に凸の丸くなった部分に当接する結果、強風でドアがガタガタした場合などには開閉規制部材が徐々にずれて開閉規制部材が係止軸から外れ、意図せずドアが閉まってしまう場合があった。
【００１０】
そこで本発明の第１の課題は、ドアを一定の開度位置に保持可能とするためのストッパー部材が設けられたドアガードにおいて、アーム部材の操作時に前記ストッパー部材を掴んで移動させてしまう誤操作を無くしたドアガードを提供することにある。
【００１１】
また、第２の課題は、ドアを一定の開度位置で確実に固定できるようにしたドアガードを提供することにある。
【課題を解決するための手段】
【００１２】
上記第１課題を解決するために請求項１に係る本発明として、ドア及びドア枠の一方側に水平方向に回動自在に支持されるとともに、部材長手方向に沿ってガイド溝が形成されたアーム部材と、ドア及びドア枠の他方側に支持され、前記ガイド溝に対する係合状態でドアの開閉に伴い該ガイド溝に沿って相対移動する係合軸部材と、ドア及びドア枠の一方側に水平方向に回動自在に支持され、前記係合軸部材を前記ガイド溝の先端側に移動させた状態で前記係合軸部材に先端を当接させることにより、ドアを一定の開度位置に固定保持するストッパー部材とを備えたドアガードであって、
前記ストッパー部材は、前記アーム部材と同軸的に軸支され、ドアガードの不使用状態時において、前記アーム部材のガイド溝を収容空間として格納されるようになっていることを特徴とするドアガードが提供される。
【００１３】
上記請求項１記載の発明では、従来より公知のアーム部材と係合軸部材とからなるものに加えて、前記アーム部材と同じ側に水平方向に回動自在に支持され、前記係合軸部材を前記ガイド溝の先端側に移動させた状態で前記係合軸部材に先端を当接させることにより、ドアを一定の開度位置に固定保持するストッパー部材を備えた構造としている。
【００１４】
前記ストッパー部材は、アーム部材と同軸的に軸支され、ドアガードの不使用状態時において、前記アーム部材のガイド溝を収容空間として格納されているため、アーム部材を回動操作する際、アーム部材とともにストッパー部材も同時に掴んで回動させるような誤操作がなくなる。
【００１５】
ここで、「ストッパー部材がガイド溝を収容空間として格納される」とは、ストッパー部材が完全にガイド溝の内部に入り込んで収納されている状態だけでなく、平面的に見た場合、ストッパー部材の一部分がガイド溝から僅かに飛び出して収容されている場合も含むものである。構造的にストッパー部材が前記ガイド溝内の収容されるようになっていればよい。
【００１６】
前記第２課題を解決するために請求項２に係る本発明として、前記ストッパー部材は、断面略コ字状で上下面が軸支された基部と、この基部の中間に連設されたストッパー軸とを備え、ドアガードの使用状態時において、前記ストッパー軸の基端を前記アーム部材よりも収容位置側に位置させ、前記ストッパー軸の先端を前記アーム部材のガイド溝内に挿入した状態で前記係合軸部材に当接させることにより、平面視で前記ストッパー部材の軸芯が前記アーム部材の軸芯に対して交差する関係にある請求項１記載のドアガードが提供される。
【００１７】
上記請求項２記載の発明では、前記ストッパー部材は、断面略コ字状で上下面が軸支された基部と、この基部の中間に連設されたストッパー軸とを備え、ドアガードの使用状態時において、前記ストッパー軸の基端を前記アーム部材よりも収容位置側（不使用状態時のストッパー部材をドア面に沿わせてガイド溝を収容空間として格納した状態の側）に位置させ、前記ストッパー軸の先端を前記アーム部材のガイド溝内に挿入した状態で前記係合軸部材に当接させることにより、平面視で前記ストッパー部材の軸芯が前記アーム部材の軸芯に対して交差する関係で設けてある。従って、ストッパー部材が所謂つっかえ棒の如く機能するようになるため、ドアが強風に煽られてガタガタしてもストッパー部材が係合軸部材から外れにくくなり、ドアを一定の開度位置で確実に固定できるようになる。
【００１８】
請求項３に係る本発明として、前記係合軸部材は、ドア及びドア枠の他方側に水平方向に回動自在に支持され、先端部をドア及びドア枠の他方側から突出させた状態と、ドア及びドア枠の他方側に収納した状態とが切り換え可能に設けられている請求項１、２いずれかに記載のドアガードが提供される。
【００１９】
上記請求項３記載の発明では、前記係合軸部材を、ドア及びドア枠の他方側に水平方向に回動自在に支持し、係合軸部材の先端部をドア及びドア枠の他方側から突出させた状態と、ドア及びドア枠の他方側に収納した状態とを切り換え可能に設けているため、ドアガードの使用時には、係合軸部材を回動させて先端部を突出状態とする一方、不使用時には、係合軸部材を反対側に回動させて収納状態とすることにより、係合軸部材に対する衣服等の引っ掛かりが防止できる。
【００２０】
請求項４に係る本発明として、前記ストッパー部材の少なくとも先端側部分が軸芯方向にスライド可能に保持されるとともに、内設された弾発部材によって先端側に向けて付勢支持され、前記係合軸部材に対して押圧状態で当接するようになっている請求項１〜３いずれかに記載のドアガードが提供される。
【００２１】
上記請求項４記載の発明では、前記ストッパー部材として、少なくとも先端側部分が軸芯方向にスライド可能に保持されるとともに、内設された弾発部材によって先端側に向けて付勢支持した構造とし、前記係合軸部材に対して押圧状態で当接するようにしているため、係合軸部材をガイド溝の先端まで移動させた状態でストッパー部材の先端側部分を弾発部材の付勢力に抗して基端側にスライドさせ、係合軸部材の頭部を乗り越えた状態でストッパー部材の先端を係合軸部材に当接させると、内設された弾発部材によってストッパー部材の先端が係合軸部材に向けて付勢支持されるようになり、係合軸部材とアーム部材との間にスライド溝に沿ったクリアランスが生ずることなくドアを保持可能となるので、ドアをがたつかせることなく一定の開度位置に固定保持できるようになる。
【００２２】
請求項５に係る本発明として、前記アーム部材は合成樹脂により構成されている請求項１〜４いずれかに記載のドアガードが提供される。
【００２３】
前記請求項５記載の発明は、従来は金属製であったアーム部材を合成樹脂に構成するようにしたものである。
【発明の効果】
【００２４】
以上詳説のとおり本発明によれば、ドアを一定の開度位置に保持可能とするためのストッパー部材が設けられたドアガードにおいて、アーム部材の操作時に前記ストッパー部材を掴んで移動させてしまう誤操作を無くすことが可能となる。また、ドアを一定の開度位置で確実に固定できるようになる。
【図面の簡単な説明】
【００２５】
【図１】本発明に係るドアガード１の使用手順（その１）を示す正面図である。
【図２】図１の斜視図である。
【図３】ドアガード１の使用手順（その２）を示す正面図である。
【図４】図３の斜視図である。
【図５】ドアガード１の使用手順（その３）を示す正面図である。
【図６】図５の斜視図である。
【図７】ドアガード１の使用手順（その４）を示す正面図である。
【図８】図７の斜視図である。
【図９】ドアガード１の使用状態時における平面図である。
【図１０】ストッパー部材９の他の形態例を示す断面図である。
【図１１】他の形態例に係るドアガード１の使用状態時における平面図である。
【発明を実施するための形態】
【００２６】
以下、本発明の実施の形態について図面を参照しながら詳述する。
【００２７】
（ドアガード１の構造）
本発明に係るドアガード１は、外開きのドア２とドア枠３とからなるドア構造において、前記ドア２及びドア枠３の間の室内側に設けられている。
【００２８】
前記ドアガード１は、ドア２に固定されたアーム保持具４に対し水平方向に回動自在に支持されるとともに、部材長手方向に沿ってガイド溝６が形成されたアーム部材５と、ドア枠３に固定された係合軸保持具７に対し水平方向に回動自在に支持されるとともに、前記ガイド溝６に対する係合状態でドア２の開閉に伴い該ガイド溝６に沿って相対移動する係合軸部材８と、前記アーム保持具４に対し水平方向に回動自在に支持されるとともに、前記係合軸部材８をガイド溝６の先端側に移動させた状態で係合軸部材８に先端を当接させることにより、ドア２を一定の開度位置に固定保持するストッパー部材９とから構成されている。
【００２９】
以下、具体的に前記ドアガード１について詳述すると、
前記アーム保持具４は、ドア２に対する固定ネジ１０、１０…の座面となるドア面に沿った平板状のベース板部４ａを備え、このベース板部４ａの中間に上下方向に間隔をあけて対峙する一対の軸支持台４ｂ、４ｂが立設されている。前記軸支持台４ｂにはそれぞれ、前記アーム部材５及びストッパー部材９を一体的に軸支する支持軸１１を上下方向に挿通させる支持孔４ｃが形成されている。前記支持軸１１としては、軸の一方端に拡径した頭部を備えるとともに他方側に周方向に沿ってリング溝を備えた構造とし、この支持軸１１を各軸支持台４ｂの外側からそれぞれ挿入してアーム部材５及びストッパー部材９を一体的に支持した後、内側に突出した支持軸のリング溝に抜け落ち防止用の係合リングを係合させることによって、前記アーム部材５及びストッパー部材９を回動自在に支持することができる。
【００３０】
前記アーム部材５は、基端側で両側に離間し先端側で連結した略Ｕ字状に形成されることにより、幅方向中央部に部材長手方向に沿って基端側が開放されたガイド溝６が形成されている。前記アーム部材５の両側の基端部にはそれぞれ、図１に示されるように、前記支持軸１１を挿通させるための軸挿通孔５ａが形成されている。これにより、前記アーム部材５は、支持軸１１の軸芯を中心としてアーム保持具４に対し回動自在に設けられている。前記アーム部材５は、ドアガード１の使用状態時において後段で詳述する係合軸部材８の係合頭部８ｂに係合する側のガイド溝６周縁に沿ってＲ加工され、球状に形成された係合軸部材８の係合頭部８ｂとの係合及び相対移動をしやすくしている。
【００３１】
このアーム部材５は、金属製でもよいが、合成樹脂製とすることが好ましい。従来、アーム部材は外側から容易に切断できないようにすることなどを目的として金属製としていたが、この場合には室内に居る人が倒れてドアガードの操作が不能な場合などの非常時に外部からドアやドア枠を破壊して室内に進入するしかなく、ドアやドア枠等の躯体の修繕に多くの手間と費用がかかっていた。そこで、少なくともアーム部材５を合成樹脂製とすることによって、金属製のものに比べて破壊し易くし、非常時にも対応できるようにしている。同様に、その他の軸部材８、ストッパー部材９等も合成樹脂製としてもよい。
【００３２】
前記ガイド溝６では、ドアガード１の使用状態時において、前記係合軸部材８とアーム部材５とが係合し、ドア２の開閉に伴って該ガイド溝６に沿って係合軸部材８が相対移動する。このガイド溝６は、基端側に前記アーム部材５の両側の離間幅を拡大させた拡幅部６ａが形成されるとともに、これより先端側に係合部６ｂが形成されている。前記拡幅部６ａは、後段で詳述する係合軸部材８の係合頭部８ｂより幅広に形成され、前記係合部６ｂは、係合軸部材８の係合頭部８ｂより幅狭でかつ係合軸８ａより幅広に形成されている。これにより、前記拡幅部６ａに係合軸部材８の係合頭部８ｂを挿入した状態で、ドアの開操作に伴い係合軸部材８をガイド溝６の先端側に相対移動させることによって、前記係合部６ｂに係合軸部材８の係合軸８ａが係合するとともに、係合軸部材の係合頭部８ｂがガイド溝６の係合部６ｂに係止して係合軸部材８がアーム部材５から係脱せずに両者の係合状態が保持される。なお、ガイド溝６の拡幅部６ａと係合部６ｂとの境界部分には傾斜部が形成されている。
【００３３】
前記係合軸保持具７は、ドア枠３に対する固定ネジ１２、１２…の座面となるドア枠面に沿った平板状のベース部材７ａを備え、このベース部材７ａの中間に上下方向に間隔をあけて対峙する一対の軸支持台７ｂ、７ｂが立設されている。前記軸支持台７ｂ、７ｂの外側同士の幅は、前記ガイド溝６の係合部６ｂの幅より幅狭に形成されている（図５参照）。前記軸支持台７ｂには、前記軸部材８を支持する支持軸１３を上下方向に挿通させるための支持孔７ｃが形成されている。
【００３４】
前記係合軸部材８は、断面略四角形の係合軸８ａの先端に前記係合軸８ａより幅広の略球状に形成された係合頭部８ｂが設けられ、係合軸８ａの基端に軸保持具７に支持される支持部８ｃが形成されている。前記支持部８ｃには支持軸１３を挿通させるための支持孔８ｄが形成されている。前記係合軸部材８の回動方向のドア２側の面は、図２に示されるように、係合軸８ａを基端部から先端部に向けて漸次薄肉化させた傾斜面状に形成され、これによって係合軸８ａと係合頭部８ｂとの境界部に窪み部８ｅが形成されている。一方これとは反対側面は、図４に示されるように、係合頭部８ｂのほぼ基端側半分を切り欠いた切欠き部８ｆが形成され、係合軸８ａからこの切欠き部８ｆにかけて滑らかな連続面状に形成されている。前記窪み部８ｅは、ストッパー部材９先端の当接部として利用され、前記切欠き部８ｆは、ガイド溝６の端縁との係止部として利用される。なお、前記窪み部８ｅとして係合頭部８ｂと係合軸８ａの境界部に形成される段差部分を用いているが、ストッパー部材９の先端が係合可能な凹部をこの境界部以外の部分に形成してもよい。
【００３５】
前記ストッパー部材９は、断面略コ字状で上下面が軸支された基部９ａと、この基部９ａの中間に連設された断面円形のストッパー軸９ｂとから形成され、ストッパー軸９ｂの先端が半球状に形成されている。前記基部９ａの幅は、アーム部材５の基端側（ガイド溝６の拡幅部６ａ）の離間幅より小さく形成され、アーム部材５の内側に軸支されている。前記基部９ａには、コ字状の両端面にそれぞれ前記支持軸１１を挿通させるための軸挿通孔９ｄが形成されている。これにより、ストッパー部材９は、ストッパー軸９ｂの軸芯が支持軸１１の軸芯から偏心した位置を回動するように設けられている。すなわち、図１及び図２に示されるように、ドアガード１の不使用状態時において、ストッパー部材９をアーム部材５のガイド溝６に収容した状態で、アーム部材５の部材長手方向中心線よりストッパー部材９のストッパー軸９ｂの軸芯の方がドア２側にずれている。なお、この状態で、少なくともアーム部材５がドア面に対しほぼ平行となるように、アーム保持具４には、前記アーム部材５の回動を規制する段差部４ｄ、４ｄを形成することが好ましい（図８参照）。
【００３６】
前記ストッパー部材９のストッパー軸９ｂは、図１に示されるように、ストッパー軸９ｂの幅ＤＳがガイド溝６の幅ＤＧより小さく形成されている（ＤＳ＜ＤＧ）。これにより、図１に示されるように、ドアガード１の不使用状態時において、前記アーム部材５のガイド溝６を収容空間として格納されるとともに、図８に示されるように、ドアガード１の使用状態時において、ストッパー軸９ｂの先端をアーム部材５のガイド溝６に挿入できるようになっている。
（ドアガード１の使用方法）
先ずドアガード１の不使用状態時について、図１及び図２に基づいて説明する。この場合、アーム部材５及びストッパー部材９はドア２側に沿わせた非起立状態に位置し、ストッパー部材９がアーム部材５のガイド溝６を収容空間として格納されている。これによって、前記アーム部材５の回動操作時にストッパー部材９を同時に掴んでしまい回動させるような誤操作が無くなる。この収容状態で、アーム部材５はドア面に沿ってほぼ平行に設けられることが好ましいが、ストッパー部材９のストッパー軸９ｂは必ずしもドア面と平行でなくても、ストッパー軸９ｂの先端側がドア面から離隔するような傾斜状に設けることもできる。
【００３７】
一方、係合軸部材８は、ドアガード１の不使用状態時において、先端部をドア枠３に収納した状態、すなわちドア枠３側に沿わせた非起立状態に位置しておくことが望ましい。これにより、係合軸部材８がドア枠３から突出しないので、人の出入りの際の衣服などの引っ掛かりが防止できる。
【００３８】
次に、ドアガード１の使用状態時において、ドア２の開度を一定開度以下に制限する使用方法について説明する。図３及び図４に示されるように、ドア２の全閉状態において、係合軸部材８をドア２側に回動操作し、係合頭部８ｂをドア２側に突出させた状態とする。続いて、図５及び図６に示されるように、アーム部材５をドア枠３側に回動操作する。これにより、係合軸部材８の係合頭部８ｂがガイド溝６の拡幅部６ａに入り込むとともに、係合軸部材８の係合軸８ａがガイド溝６の係合部６ｂに入り込む。この状態で、ドア２を開くと、アーム部材５がドア２とともにドア開方向に移動し、ドア枠３に当接して起立方向に回動し、係合軸部材８の係合軸８ａがガイド溝６の係合部６ｂに係合する。このとき、係合頭部８ｂがガイド溝６の係合部６ｂの外側に位置するため、係合軸部材８とアーム部材５との係合状態が保持される。さらにドア２を開操作すると、係合軸部材８は、アーム部材５のガイド溝６に沿って相対移動し、係合軸部材８がガイド溝６の先端部に達すると、係合軸部材８の切欠き部８ｆがガイド溝６の端縁に掛止して、それ以上のドア２の開度が規制される。
【００３９】
この状態から、ドア２の開度を一定の開度位置に固定する方法について説明すると、図７〜図９に示されるように、ストッパー部材９を回動操作し、ストッパー軸９ｂの基端ｂをアーム部材５よりも収容位置側（即ちドアガード１の不使用状態時のストッパー部材９をドア面に沿わせてガイド溝６を収容空間として格納した状態の側であって、アーム部材５を境に係合軸部材８とは反対側のドア２側）に位置させ、ストッパー軸９ｂの先端ａをアーム部材５のガイド溝６に挿入した状態で係合軸部材８の窪み部８ｅに当接させる。これにより、アーム部材５とストッパー部材９とは、図９に示されるように、平面視で、ストッパー部材９のストッパー軸９ｂの軸芯ＬＳがアーム部材５の軸芯（アーム部材５の回動中心からアーム部材５の厚み方向のほぼ中央部を通る線）ＬＡに対して交差する関係で設けられるようになる。
【００４０】
以上詳説のとおり、本ドアガード１では、係合軸部材８をガイド溝６の先端側に移動させた状態で係合軸部材８に先端を当接させるストッパー部材９を備えているため、高層ビルの高層階などにおいてドア２が強風に煽られてドア２の閉方向に強い力が作用しても、ストッパー部材９が支軸となって不意に閉まったりすることがなくなるとともに、ストッパー部材９を回動操作しなければドアを一定の開度位置に固定保持できない構造であるため、意図せずに開状態が保持されるといったこともなくなる。
【００４１】
また、ドアガード１の不使用状態時において、ストッパー部材９がアーム部材５のガイド溝６を収容空間として格納されているため、ドアガード１の使用時にアーム部材５を回動操作する際、アーム部材５とともに、ストッパー部材９も同時に掴んで回動させるような誤操作が起こらなくなり、ストッパー部材９が引っ掛かってドア２が開かなかったり、ドア２を一定の開度位置で固定できないなどの問題が生ずることなく、ドア２を一定の開度位置で確実に固定できるようになる。
【００４２】
さらに、ドア２を一定の開度位置に固定した状態で、ストッパー軸９ｂの基端をアーム部材５よりも収容位置側に位置させ、ストッパー軸９ｂの先端をアーム部材５のガイド溝６内に挿入した状態で係合軸部材８に当接させることにより、ストッパー部材９の軸芯ＬＳをアーム部材５の軸芯ＬＡに対して交差する関係としてあるため、ストッパー軸９ｂの先端を係合軸部材８の球状に形成された係合頭部８ｂの外側に凸の丸み部分ではなく、これより基端側の窪み部８ｅに当接させることができ、ドア２が強風に煽られてガタガタしてもストッパー部材９が係合軸部材８から外れにくく、ドア２を一定の開度位置で確実に固定できるようになる。また、ストッパー軸９ｂの先端ａが係合軸部材８の係合頭部８ｂより基端側に当接するため、係合軸部材８にかかるモーメントを小さく抑えることができ、係合軸部材８の破損などが防止できる。
【００４３】
前記ストッパー部材９によってドア２を一定の開度位置に固定した状態を解除するには、ガイド溝６から突出したストッパー部材９の基端側を摘んでストッパー部材９をドア２側に回動することにより行うことができる。また、このときの回動操作を容易にするため、ストッパー部材９に摘み用の突起部などを設けておくこともできる。
【００４４】
その後ドアガード１を不使用状態にするには、ドア２を全閉状態とし、アーム部材５をドア２側に回動させるとともに、係合軸部材８をドア枠３側に回動させ図１及び図２に示される状態にする。
【００４５】
〔他の形態例〕
(1)前記ストッパー部材９は、図１０に示されるように、少なくとも先端側部分が軸芯方向にスライド可能に保持されるとともに、内設された弾発部材によって先端側に向けて付勢支持され、ドア２を一定の開度位置に固定保持した状態において、係合軸部材８に対して押圧状態で当接するようにしたものを用いることも可能である。
【００４６】
このようなストッパー軸９ｂの具体的な構造としては、図１０に示されるように、基部側の第１部材９ｅと先端側の第２部材９ｆとから構成し、前記第１部材９ｅの先端に凹部９ｇを形成するとともに、第２部材の基端に前記凹部９ｇと嵌合可能な凸部９ｈを形成し、前記凹部９ｇと凸部９ｈとの嵌合部にツメを設けることによって第１部材９ｅと第２部材９ｆとが相対的に軸芯方向に所定範囲内でスライド可能とされ、前記凹部９ｇと凸部９ｈとの間に前記第２部材９ｆを先端側に向けて付勢するスプリング９ｉを設けたものとすることができる。また、このような付勢手段をストッパー部材９の基部９ａとストッパー軸９ｂとの間に設け、ストッパー軸９ｂが全体的に先端側に向けて付勢支持されるようにしてもよい。
【００４７】
ストッパー部材９に付勢手段を設けた場合、ストッパー軸９ｂの先端ａを係合軸部材８に当接させる際、ストッパー軸９ｂの先端ａが係合軸部材８の係合頭部８ｂを通過するときに前記弾発部材の付勢力に抗してストッパー軸９ｂが縮退し、その後付勢力によってストッパー軸９ｂが伸長して係合軸部材８の窪み部８ｅに対して押圧状態で当接するようになる。このため、図１１に示されるように、係合軸部材８の切欠き部８ｆをガイド溝６の先端に当接させた状態で、ストッパー部材９を固定位置に回動できるため、係合軸部材８とガイド溝６先端との間にクリアランスが生じることなくドア２を一定の開度位置に固定保持できるようになり、ドア２のガタツキを完全になくして固定できるようになる。
【００４８】
(2)上記形態例では、ドア２が外開きドアの場合について図示したが、内開きドアの場合でも同様に使用できる。この場合、アーム部材５及びストッパー部材９をドア枠３側に支持し、係合軸部材８をドア２側に支持する。
【００４９】
(3)上記形態例では、係合軸部材８をドア枠３に揺動自在に支持したが、係合頭部８ｂがドア２側に突出した状態で固定された係合軸部材８を用いてもよい。
【符号の説明】
【００５０】
１…ドアガード、２…ドア、３…ドア枠、４…アーム保持具、５…アーム部材、６…ガイド溝、７…係合軸保持具、８…係合軸部材、９…ストッパー部材
【図１】
2013234488.tif 000003
【図２】
2013234488.tif 000004
【図３】
2013234488.tif 000005
【図４】
2013234488.tif 000006
【図５】
2013234488.tif 000007
【図６】
2013234488.tif 000008
【図７】
2013234488.tif 000009
【図８】
2013234488.tif 000010
【図９】
2013234488.tif 000011
【図１０】
2013234488.tif 000012
【図１１】
2013234488.tif 000013